(57)【特許請求の範囲】
【請求項１】
ホログラム記録媒体にレーザ光を照射してデータの記録を行い、該記録したデータを再生するホログラム記録媒体記録再生装置において、
該ホログラム記録媒体にデータを記録する際、記録用として用意されたデータと該ホログラム記録媒体への記録条件に関するデータとから記録用データを生成する記録用データ作成手段と、
該ホログラム記録媒体から再生した記録用データから該記録条件を読み取り、読み取った該記録条件に基づき該ホログラム記録媒体のデータを再生するための再生条件を設定する再生条件設定手段とを備え、
該再生条件設定手段が、
該読み取った記録条件に基づいて決定した再生条件と、既に装置内に設定されている再生条件との差異により、該再生条件の再設定の有無を判定する再設定判定手段と、
該再設定判定手段が再設定有りと判断したとき、該読み取った記録条件に相当する箇所の再生データをキャンセルし、該読み取った記録条件に基づいて決定した再生条件の設定を行い、該キャンセルした再生データに相当するデータの再生を行う再再生手段とを有することを特徴とするホログラム記録媒体記録再生装置。
【請求項２】
ホログラム記録媒体にレーザ光を照射してデータの記録を行い、該記録したデータを再生するホログラム記録媒体の記録再生方法において、
該ホログラム記録媒体にデータを記録する際、記録用として用意されたデータと該ホログラム記録媒体への記録条件に関するデータとから記録用データを生成して該ホログラム記録媒体に記録し、
該ホログラム記録媒体からデータを再生する際、該ホログラム記録媒体から再生した記録用データから該記録条件を読み取り、該読み取った記録条件に基づいて決定した再生条件と、既に装置内に設定されている再生条件との差異により、該再生条件の再設定の有無を判定し、
再設定有りと判断したとき、該読み取った記録条件に相当する箇所の再生データをキャンセルし、該読み取った記録条件に基づいて決定した再生条件の設定を行い、該キャンセルした再生データに相当するデータの再生を行うことを特徴とするホログラム記録媒体の記録再生方法。
【発明の詳細な説明】
【技術分野】
【０００１】
本発明は、ホログラム記録媒体の特性を評価する又はホログラム記録媒体にデータを記録し再生するホログラム記録媒体評価装置及びホログラム記録媒体記録再生装置並びにホログラム記録媒体の評価方法及びホログラム記録媒体の記録再生方法に関する。
【背景技術】
【０００２】
従来より、光ディスクに記録するデータの容量を大きくするため、ホログラム記録媒体へ多重記録を行う研究が進められている。ホログラム記録媒体へ多重記録を行う方法としては、現時点では主に２光束干渉方式とコリ二ア方式とがあるが、いずれの方法も記録するデータの容量を大きくするには多重記録性能の良いホログラム記録媒体が必要であり、現在多くのメーカーでホログラム記録媒体の作製とその評価が行われている。
【０００３】
ホログラム記録媒体の評価は、２光束干渉方式であれば例えば特許文献１に示されるようなホログラム記録装置により、コリ二ア方式であれば特許文献２に示されるようなホログラム記録装置によりホログラム記録媒体に多重記録を行い、記録したデータを再生することで、Ｍナンバーのような多重記録性能や再生データのエラー率のような記録再生精度を求めることにより行われている。
【０００４】
この評価において評価値は、ホログラム記録媒体ヘの記録条件により大きく変わることがあり、ホログラム記録媒体の評価結果はこの記録条件と共に示される必要がある。そして、レーザ強度、多重記録における記録の順番、参照用レーザ光の角度などのホログラム記録条件は多重記録における各々の記録において変化するため、記録条件を記録媒体ごとではなく各々の記録ごとに示した方がよりホログラム記録媒体の評価を正確に行うことができる。
また、ホログラム記録媒体に記録したデータの再生において、各々の記録ごとの記録条件に基づいて再生条件を設定した方が再生精度をよくすることができる。
【特許文献１】特開２００４−６９７７１号公報
【特許文献２】特開２００５−３２３０７号公報
【発明の開示】
【発明が解決しようとする課題】
【０００５】
しかしながら、各々の記録における記録条件は記憶数が多く、ホログラム記録媒体の評価装置内のメモリやディスクなどの記録媒体にこの記録条件を記憶しておき、評価の際にホログラム記録媒体の各記録と対応させようとすると、記憶数が多いため誤りが発生しやすいという問題がある。
【０００６】
本発明は、このような事情に鑑みてなされたもので、ホログラム記録媒体の多重記録における各々の記録と各々の記録条件の対応において、誤りの発生する可能性をなくし評価精度のよい、又は再生精度のよいホログラム記録媒体評価装置及びホログラム記録媒体記録再生装置並びにホログラム記録媒体の評価方法及びホログラム記録媒体の記録再生方法を提供することにある。
【課題を解決するための手段】
【０００７】
請求項１記載のホログラム記録媒体記録再生装置は、ホログラム記録媒体にデータを記録する際、記録用として用意されたデータとホログラム記録媒体への記録条件に関するデータとから記録用データを生成する記録用データ作成手段と、ホログラム記録媒体から再生した記録用データから記録条件を読み取り、読み取った記録条件に基づきホログラム記録媒体のデータを再生するための再生条件を設定する再生条件設定手段とを備え、再生条件設定手段が、読み取った記録条件に基づいて決定した再生条件と、既に装置内に設定されている再生条件との差異により、再生条件の再設定の有無を判定する再設定判定手段と、再設定判定手段が再設定有りと判断したとき、読み取った記録条件に相当する箇所の再生データをキャンセルし、読み取った記録条件に基づいて決定した再生条件の設定を行い、キャンセルした再生データに相当するデータの再生を行う再再生手段とを有することを特徴とする。
【０００８】
請求項２記載のホログラム記録媒体の記録再生方法は、ホログラム記録媒体にデータを記録する際、記録用として用意されたデータとホログラム記録媒体への記録条件に関するデータとから記録用データを生成してホログラム記録媒体に記録し、ホログラム記録媒体からデータを再生する際、ホログラム記録媒体から再生した記録用データから記録条件を読み取り、読み取った記録条件に基づいて決定した再生条件と、既に装置内に設定されている再生条件との差異により、再生条件の再設定の有無を判定し、再設定有りと判断したとき、読み取った記録条件に相当する箇所の再生データをキャンセルし、読み取った記録条件に基づいて決定した再生条件の設定を行い、キャンセルした再生データに相当するデータの再生を行うことを特徴とする。
【発明の効果】
【００１５】
請求項１及び請求項２の発明によれば、ホログラム記録媒体から再生した記録用データから記録条件を読み取り、読み取った記録条件に基づきホログラム記録媒体のデータを再生するための再生条件を設定することから、ホログラム記録媒体の多重記録における各々の記録と各々の記録条件の対応において誤りの発生する可能性をなくし、ホログラム記録媒体の再生精度を向上させることができる。さらに、再設定有りと判断したとき、読み取った記録条件に相当する箇所の再生データをキャンセルし、読み取った記録条件に基づいて決定した再生条件の設定を行い、キャンセルした再生データに相当するデータの再生を行うことから、各々の記録すべてにおいて再生条件を設定する必要がないので、データの再生効率がよい。
【発明を実施するための最良の形態】
【００１９】
以下、本発明の形態について図面を参照しながら具体的に説明する。本発明の形態におけるホログラム記録媒体評価装置は、ホログラム記録媒体の特性を評価するためのものである。
【００２０】
図１は、本発明に係るホログラム記録媒体評価装置の一例を示す構成図である。図２は、同ホログラム記録媒体評価装置によりホログラム記録媒体に記録を行うときのプログラムのフローチャートである。図３は、同ホログラム記録媒体評価装置によりホログラム記録媒体に記録したデータを再生するときのプログラムのフローチャートである。図４は、同ホログラム記録媒体評価装置の再生データのエラー率を記録条件と共に記憶するときのプログラムのフローチャートである。
【００２１】
図１において、ホログラム記録媒体５の特性を評価するホログラム記録媒体評価装置１は、レーザ光源１２，各種光学系素子１４〜３４、フォトセンサ３０、レーザ駆動回路１００、温度センサ４０、温度センサ４４、湿度センサ４６、記録用信号生成回路１０２、記録条件データ生成回路１０４、再生データ生成回路１０６、再生データ分類回路１０８、再生条件判定回路１１０、再生データ保管回路１１２、再生データエラー率計算回路１１４、媒体温度制御回路１２０、温度検出回路１３０、湿度検出回路１３２、コントローラ２００、入力装置２０２、表示装置２０４等から構成されている。尚、図１は、本発明に関係する記録用データの生成手段、記録データの再生手段および再生データの評価手段に該当する回路や装置のみを示し、それ以外の回路や装置は省いてある。また、図１は、２光束干渉方式のホログラム記録媒体評価装置であるが、図に示した回路や装置はコリニア方式のホログラム記録媒体評価装置にも適用できる。
【００２２】
次に、各回路や装置の作動について以下に説明する。
まず、コントローラ２００は、ホログラム記録媒体評価装置１の全体の制御を行うもので、データを入力するための入力装置２０２及び、データや各種設定を表示する表示装置２０４が接続されている。そして、後述するレーザ駆動回路１００、記録用信号生成回路１０２、記録条件データ生成回路１０４、再生条件判定回路１１０、再生データ保管回路１１２、再生データエラー率計算回路１１４、媒体温度制御回路１２０等が接続され、それらの制御を行うことで全体の制御が行われる。
【００２３】
レーザ駆動回路ｌ００は、コントローラ２００により照射するレーザ光強度が設定され、コントローラ２００から照射開始と照射停止の指令を受けてレーザ光照射を行う。記録用信号生成回路１０２は、コントローラ２００から記録するためのデータ（以下、記録用データという）が入力され、空間光変換器２４（ＳＬＭ：Spatial Light Modulator）の表示用データに変換して、このデータを回路内のメモリに多重記録の各々の記録ごとに分けて記憶する。そして、記録条件データ生成回路１０４から記録条件に関するデータ（以下、記録条件データという）が入力されると、空間光変換器２４の表示用データヘ変換して、その表示用データを回路内のメモリに記憶された記録用データで次に空間光変換器２４へ出力するデータへ追加し、追加したデータを空間光変換器２４へ出力する。
【００２４】
記録条件データ生成回路１０４は、コントローラ２００から入力されるすべての記録において、同一である記録条件に関するデー夕（以下、同一記録条件データという）をメモリする。そして、コントローラ２００から個々の記録の記録条件に関するデータ（以下、個々の記録条件データという）が入力すると、温度検出回路ｌ３０や湿度検出回路ｌ３２が出力する特性値（以下、特性値データという）を入力し、メモリされている同一記録条件データをコピーして、同一記録条件データに個々の記録条件データと特性値データを追加して記録条件データを作成し、作成した記録条件データを記録用信号生成回路１０２に出力する。
【００２５】
再生データ生成回路１０６には、参照用レーザ光がホログラム記録媒体５の記録領域に照射されると、フォトセンサ３０から空間光変換器２４の表示用データが電気的なデジタルデータ信号に変換された信号が入力される。そして、再生データ生成回路１０６は、入力された信号を復号して元の記録データ（記録用データと記録条件データ）にし、再生データ分類回路１０８に出力する。さらに、再生データ生成回路１０６は、多重記録の各記録データの再生が終了するごとに信号をコントローラ２００に出力する。
【００２６】
再生データ分類回路１０８は、再生データ生成回路１０６から入力された信号を記録用データと記録条件データに分け、記録用データを再生データ保管回路ｌｌ２に出力し、記録条件データを再生条件判定回路１１０に出力する。
【００２７】
再生条件判定回路１１０は、コントローラ２００から記録条件を再生条件に変換する関係が入力され、記憶する。また、再生条件判定回路１１０は、コントローラ２００から再生開始前に入力された再生条件データを記憶する。そして、再生データ分類回路１０８から記録条件データが入力されると該当する条件のみを記憶してある記録条件を再生条件に変換する変換関係により再生条件データに変換し、記憶してある再生条件データと比較する。記憶している再生条件と許容範囲内で一致すると、ＯＫの信号をコントローラ２００に出力し、再生データ分類回路１０８から入力された記録条件データをコントローラ２００に出力する。記憶している再生条件と一致しないと、ＮＧの信号をコントローラ２００に出力し、変換した再生条件データを出力すると共に記憶されている再生条件データをクリアし、変換した再生条件データを記憶する。
【００２８】
再生データ保管回路１ｌ２は、再生データ分類回路１０８から入力された記録用データを多重記録の各記録単位ごとにメモリに記憶していき、コントローラ２００から消去指令が入力されると、最新の記録単位のデータを消去する。そして、後述する再生データエラー率計算回路ｌ１４から計算終了の信号が入力されると記憶した順に記録用データを再生データエラー率計算回路ｌｌ４へ出力する。
【００２９】
再生データエラー率計算回路１１４は、２つのデータを対比させ不一致であるデータの個数をカウントし、全体のデータ数に対する割合であるエラー率を計算する回路である。対比において基準とする記録用データは、コントローラ２００から記録用信号生成回路１０２に入力された順に入力され、メモリ内に多重記録の各々の記録ごとに分けて記憶されている。そして、再生データ保管回路１１２から記録用データが入力されると、エラー率を計算してそのデジタル信号をコントローラ２００に出力し、再生データ保管回路１１２に計算終了の信号を出力する。尚、装置の作動開始時点においては、所定時間が経過すると計算終了の信号を出力する。
【００３０】
媒体温度制御回路１２０は、ステージ３６に埋め込まれた温度センサ４０の出力信号から温度を検出し、検出した温度がコントローラ２００から指示された温度になるよう、ステージ３６に埋め込まれたヒーター４２の通電を制御する。媒体温度制御回路ｌ２０は、コントローラ２００から制御する温度の値が入力されたときから作動する。
【００３１】
温度検出回路１３０は、装置内にセットされた温度センサ４４が出力する信号が入力され、入力した信号をデジタル信号に変換して、所定時間間隔で記録条件データ生成回路１０４に出力する。湿度検出回路１３２は、装置内にセットされた湿度センサ４６が出力する信号が入力され、入力した信号をデジタル信号に変換して、所定時間間隔で記録条件データ生成回路１０４に出力する。
【００３２】
このように構成されたホログラム記録媒体評価装置１において作業者は、以下のようにホログラム記録媒体への記録を行う。まず、ホログラム記録媒体５をステージ３６に載せる。次に、入力装置２０２から記録位置（記録開始位置、記録間隔、最終記録位置など記録位置に関するものすべて）、参照レーザ光の各々の角度および同一記録条件を入力する。この同一記録条件は、コントローラ２００から同一記録条件データとして記録条件データ生成回路１０４に入力され、記録条件データ生成回路１０４内のメモリに記憶される。
【００３３】
同一記録条件は、具体的には、記録年月日、同一記録場所への多重記録数（２光束干渉方式のみ）、各記録の時間又は各記録を終了する回折効率、媒体の温度制御の温度、フォーカスオフセット電圧（コリニア方式のみ）、トラッキングオフセット電圧（コリニア方式のみ）等である。このうち、制御に必要な条件はホログラム記録媒体５の温度制御の温度、フォーカスオフセット電圧、トラッキングオフセット電圧などである。
【００３４】
次に、入力装置２０２から、コントローラ２００内のメモリに記憶されている記録用データを選択する。これにより、コントローラ２００から記録用データが記録用信号生成回路１０２及び再生データエラー率計算回路１１４に入力され、記録用信号生成回路１０２と再生データエラー率計算回路ｌ１４内のメモリに記憶される。前述のように、この記憶は多重記録の各々の記録ごとに分けて記憶される。尚、この場合、多重記録の各々の記録ごとに同一のデータを記憶する場合は、１つの記録分のデータが記録数（記録位置の数×多重記録数）分コピーされたデータが入力され、記憶される。
【００３５】
次に、入力装置２０２から、照射レーザ光の強度またはレーザ光強度の設定条件を入力する。レーザ光強度の設定条件は具体的には多重記録の回数や記録領域の回折効率の変化速度とレーザ光強度の関係である。
【００３６】
次に、入力装置２０２から記録開始を指示する。コントローラ２００はこの指示により図２に示すフローのプログラムをスタートさせる。尚、以後の本実施例の説明において、括弧内の符号は図２〜図４のフローチャートの符号に対応している。
【００３７】
まず、記録位置と個々の記録条件のパラメータが制御を行う回路に出力される（Ｓ１０２）。個々の記録条件は具体的には、参照レーザ光の照射角度、レーザ光強度などである。次に、設定した個々の記録条件および、多重記録における記録順番などの記録条件を個々の記録条件データとして記録条件データ生成回路ｌ０４に出力する（Ｓ１０４）。記録条件データ生成回路１０４は、個々の記録条件データが入力されると前述のように温度検出回路ｌ３０と湿度検出回路路１３２が出力する特性値データを取り込み、記憶してある同一記録条件データと入力された個々の記録条件データと特性値データをまとめて記録条件データを作成して記録用信号生成回路１０２に出力する。記録用信号生成回路１０２は、前述したように記録条件データが入力されると表示用データに変換して、記憶してある表示用データに変換された記録用データに追加して、空間光変換器２４に出力する。
【００３８】
そして、記録条件を設定する回路の設定完了と記録用信号の空間光変換器２４への出力を待ち（Ｓ１０６、Ｓ１０８）、レーザ光の照射を行う（Ｓ１１０）。所定時間経過した後（Ｓ１１２）、レーザ光を停止して（Ｓ１１４）、次の記録の有無を判定して（Ｓ１１６）次の記録がある場合は最初（Ｓ１０２）に戻り次の記録の記録条件を設定する。
【００３９】
このようにしてホログラム記録媒体５に記録されたデータの再生においては、作業者は以下のように操作を行う。
まず、ホログラム記録媒体５をステージ３６に載せる。次に、入力装置２０２から再生位置（再生開始記録位置、記録間隔、再生終了記録位置など再生位置に関するものすべて）、各々の記録における参照レーザ光の角度および再生条件を入力する。再生条件は具体的には、レーザ光強度、媒体の温度制御の温度値、フォーカスオフセット電圧（コリニア方式のみ）、トラッキングオフセット電圧（コリニア方式のみ）などである。この再生条件は、制御を行う回路に設定されるとともに記録条件と変換関係がある再生条件は、再生条件判定回路ｌｌ０に入力され記憶される。さらに、コントローラ２００にはすべての再生条件が記憶される。
【００４０】
次に、入力装置２０２から記録条件から再生条件への変換関係を入力する。この変換関係は、再生条件判定回路１１０に入力され記憶されるが、既に記憶されていればこの入力はスキップしてよい。変換関係は、レーザ光強度、媒体の温度制御の温度値、参照レーザ光の照射角度などの変換関係であり、これは実験であらかじめ求められている。通常ホログラム記録媒体５の温度制御の温度値、参照レーザ光の照射角度は記録条件イコール再生条件となる。
【００４１】
次に、入力装置２０２から再生開始を指示する。コントローラ２００は、この指示により図３および図４に示すフローのプログラムをスタートさせる。まず、レーザ光が照射される記録領域に移動し、再生条件を設定する回路に再生条件パラメータを出力する（Ｓ２０２）。具体的には、参照レーザ光の照射角度などを出力する。次に、再生条件判定回路１１０に設定した再生条件を出力すると共に、コントローラ２００に記憶させた再生条件に追加する（Ｓ２０４）（フローの２巡目以降は同条件を新しいパラメータに変更する）。
【００４２】
次に、再生条件を設定する回路の設定完了が完了したことを確認し（Ｓ２０６）、レーザ光の照射を開始し（Ｓ２０８）、再生データ生成回路１０６を作動させる（Ｓ２１０）。これにより、復号された再生データが再生データ分類回路１０８に入力され、再生条件判定回路１１０に記録条件データが入力され、レーザ光強度、ホログラム記録媒体５の温度制御の温度値、参照レーザ光の照射角度などの記録条件が再生条件に変換され、記憶されている再生条件との比較によりＯＫまたはＮＧの判定がコントローラ２００に出力される。
【００４３】
次に、再生条件判定回路１１０からの入力を待ち（Ｓ２１２）、入力した信号がＯＫであれば（Ｓ２１４）、再生条件判定回路１１０が出力する記録条件データを入力し、コントローラ２００に記憶されている再生条件をコピーして追加してメモリに記憶する（Ｓ２１５）。そして、再生データ生成回路１０６からの信号を待ち（Ｓ２１６）、再生データ生成回路１０６から記録データの再生完了を意味する信号が入力されると、レーザ光の照射を停止して（Ｓ２１８）、次の記録の再生があれば（Ｓ２２０）、最初（Ｓ２０２）に戻って次の記録データの再生を行う。
【００４４】
入力した信号がＮＧであれば（Ｓ２１４）、再生条件判定回路１１０が出力する変換された再生条件を入力し（Ｓ２２２）、再生データ生成回路１０６を停止して（Ｓ２２４）、再生データ保管回路１１２に記憶されているデータの最新の記憶単位を消去する（Ｓ２２６）。そして、入力された再生条件に基づいて、制御を行う回路に再生条件のパラメータを再設定し（Ｓ２２８）、コントローラ２００に記憶されている再生条件の中の同条件を設定し直したパラメータにして、再び再生データ生成回路１０６を作動させる（Ｓ２１０）。これにより、不適切な再生条件で再生したデータは消去され、設定し直した再生条件により再度記録データの再生が行われる。
【００４５】
図３のフローのプログラムが実行されると、再生データ保管回路１１２には、再生データが入力され、記憶されていく。この再生データは、再生データエラー率計算回路１１４により記録用データと比較され、記憶単位である多重記録の各々の記録ごとにエラー率が計算され、コントローラ２００に入力される。コントローラ２００は、図４の流れのプログラムの実行により入力されたエラー率を（Ｓ３０２）、既に記憶されている記録条件と再生条件の記憶順に対応させて記憶する（Ｓ３０４）。その後、コントローラ２００内での適切なデータ処理により表示装置２０４に評価結果が表示される。
【００４６】
以上のように、本実施例のホログラム記録媒体評価装置１によれば、ホログラム記録媒体５から再生した記録用データ内の記録条件に基づいてホログラム記録媒体５の評価を行うことから、ホログラム記録媒体５の多重記録における各々の記録と各々の記録条件の対応において誤りの発生する可能性をなくし、ホログラム記録媒体５の評価精度を向上させることができる。
【００４７】
また、ホログラム記録媒体５へ記録する際の条件である特牲の特性値を、記録条件に関するデータの一部としていることで、気温や湿度などのように制御されていないが評価に影響を及ぼす可能性のある特性値も記録条件として残せるので、ホログラム記録媒体５の評価をより正確に行うことができる。
【００４８】
以上は、ホログラム記録媒体５の評価装置での実施形態であるが、本発明はホログラム記録媒体５にデータを記録し再生する装置すべてに適用できる。ホログラム記録媒体５にデータを記録し再生する装置であれば、上記の実施形態において、記録用条件データとするものは、再生条件に影響する（再生条件との変換関係を再生条件判定回路ｌ１０に入力する）レーザ光強度、媒体の温度制御の温度値、参照レーザ光の照射角度などに限定してよい。また、再生データエラー率計算回路１１４や図４のプログラムは不要であり、温度検出回路ｌ３０や湿度検出同路１３２も不要である。
【００４９】
本実施例の実施形態を、ホログラム記録媒体５の記録再生装置に適用することで、ホログラム記録媒体５から再生した記録用データから記録条件を読み取り、読み取った記録条件に基づきホログラム記録媒体５のデータを再生することになり、ホログラム記録媒体５の多重記録における各々の記録と各々の記録条件の対応において誤りの発生する可能性をなくし、ホログラム記録媒体５の再生精度を向上させることができる。
【００５０】
また、再設定有りと判断したとき、読み取った記録条件に相当する箇所の再生データをキャンセルし、読み取った記録条件に基づいて決定した再生条件の設定を行い、キャンセルした再生データに相当するデータの再生を行うことで、各々の記録すべてにおいて再生条件を設定する必要がないので、データの再生効率がよい。
【産業上の利用可能性】
【００５１】
以上のように、本発明によれば、誤りの発生する可能性をなくし評価精度のよい、又は再生精度のよいホログラム記録媒体評価装置及びホログラム記録媒体記録再生装置並びにホログラム記録媒体の評価方法及びホログラム記録媒体の記録再生方法を提供できる。
【図面の簡単な説明】
【００５２】
【図１】本発明に係るホログラム記録媒体評価装置の一例を示す構成図である。
【図２】同ホログラム記録媒体評価装置のホログラム記録媒体に記録を行うときのプログラムのフローチャートである。
【図３】同ホログラム記録媒体評価装置のホログラム記録媒体に記録したデータを再生するときのプログラムのフローチャートである。
【図４】同ホログラム記録媒体評価装置の再生データのエラー率を記録条件と共に記憶するときのプログラムのフローチャートである。
【符号の説明】
【００５３】
１・・・・・ホログラム記録媒体評価装置
５・・・・・ホログラム記録媒体
１２・・・・レーザ光源
１４・・・・レンズ
１６・・・・ビームスプリッタ
１８・・・・シャッタ
２０・・・・ビームエキスパンダ
２２・・・・レンズ
２４・・・・空間光変換器
２６・・・・フーリエ変換レンズ
２８・・・・逆フーリエ変換レンズ
３０・・・・フォトセンサ
３２・・・・ミラー
３４・・・・ミラー
３６・・・・ステージ
３８・・・・モーター
４０・・・・温度センサ
４２・・・・ヒーター
４４・・・・温度センサ
４６・・・・湿度センサ
１００・・・レーザ駆動回路
１０２・・・記録用信号生成回路
１０４・・・記録条件データ生成回路
１０６・・・再生データ生成回路
１０８・・・再生データ分類回路
１１０・・・再生条件判定回路
１１２・・・再生データ保管回路
１１４・・・再生データエラー率計算回路
１２０・・・媒体温度制御回路
１３０・・・温度検出回路
１３２・・・湿度検出回路
２００・・・コントローラ
２０２・・・入力装置
２０４・・・表示装置
【図１】
0004548380.tif 000002
【図２】
0004548380.tif 000003
【図３】
0004548380.tif 000004
【図４】
0004548380.tif 000005